【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
ベクトル化ＤＳＬシステムに対する係数データを最適化する方法において、
前記ベクトル化ＤＳＬシステム中の複数のマクロバンドを識別することと、
前記マクロバンドのそれぞれに対する、それぞれの係数データ圧縮パラメータを選択することと、
前記選択された係数データ圧縮パラメータにより、前記ベクトル化ＤＳＬシステムの性能を評価することと、
前記評価することによって決定された所望のシステム性能にしたがって、それぞれの係数データ圧縮パラメータの選択を最適化することとを含む方法。
【請求項２】
前記係数データの、利用可能な総サイズを識別することをさらに含み、
前記複数のマクロバンドのすべてに対する圧縮された係数データが、前記利用可能な総サイズを超えないように、係数データ圧縮パラメータを選択することを実行する請求項１記載の方法。
【請求項３】
性能を評価することは、対応するチャネル条件を識別することを含む請求項１記載の方法。
【請求項４】
前記係数データ圧縮パラメータは、ゴロムモジュラス、および／または、量子化レベルを含む請求項１記載の方法。
【請求項５】
複数の異なるチャネル条件に対して、前記評価することと最適化することとを実行することと、
前記複数の異なるチャネル条件によってインデックス付けされたルックアップテーブル中に、最適な係数データ圧縮パラメータを記憶させることとをさらに含む請求項１記載の方法。
【請求項６】
現在のチャネル条件を決定することをさらに含み、
選択することは、前記ルックアップテーブル中で前記現在のチャネル条件を調べることを含む請求項５記載の方法。
【請求項７】
前記チャネル条件は、電気的な長さ、および／または、マッピングされた差の合計を含む請求項５記載の方法。
【請求項８】
前記ルックアップテーブルに対する、利用可能な総サイズを識別することと、
前記利用可能な総サイズにしたがって、可能性ある係数データ圧縮パラメータと、チャネル条件とを、量子化することとをさらに含む請求項５記載の方法。
【請求項９】
前記所望のシステム性能は、前記ベクトル化ＤＳＬシステム中のアップストリームとダウンストリームとの両方の通信の全体的な最大データレートである請求項１記載の方法。
【請求項１０】
前記所望のシステム性能は、前記ベクトル化ＤＳＬシステム中のアップストリームとダウンストリームとの通信のうちの１つの全体的な最大データレートである請求項１記載の方法。
【請求項１１】
現在のチャネル条件に対するＦＥＸＴ係数を計算することと、
前記選択された係数データ圧縮パラメータを使用して、前記ＦＥＸＴ係数を圧縮することと、
前記圧縮されたＦＥＸＴ係数を記憶させることとをさらに含む請求項１記載の方法。
【請求項１２】
圧縮することは、周波数デシメーションと差分コーディング、および／または、量子化を含む請求項１１記載の方法。
【請求項１３】
差分コーディングが、前記選択された係数データ圧縮パラメータから取得したゴロムモジュラスを使用する請求項１２記載の方法。
【請求項１４】
量子化が、前記選択された係数データ圧縮パラメータから取得した量子化レベルを使用する請求項１２記載の方法。
【請求項１５】
ベクトル化ＤＳＬシステムにおいて、
ＶＣＥと、
前記ベクトル化ＤＳＬシステムに対する係数データを最適化するように構成されている１つ以上のプロセッサとを具備し、
前記最適化することは、
前記ベクトル化ＤＳＬシステム中の複数のマクロバンドを識別することと、
前記マクロバンドのそれぞれに対する、それぞれの係数データ圧縮パラメータを選択することと、
前記選択された係数データ圧縮パラメータにより、前記ベクトル化ＤＳＬシステムの性能を評価することと、
前記評価することによって決定された所望のシステム性能にしたがって、それぞれの係数データ圧縮パラメータの選択を最適化することとを備えるベクトル化ＤＳＬシステム。
【手続補正２】
【補正対象書類名】明細書
【補正対象項目名】０１０７
【補正方法】変更
【補正の内容】
【０１０７】
［００９８］
ここで、特に、好ましい実施形態を参照して本発明を説明してきたが、本発明の精神および範囲から逸脱することなく、形態および詳細において、変更および修正がなされてもよいことは、当業者にとって明白であるはずである。添付された特許請求の範囲は、このような変更および修正を含むことが意図されている。
以下に、本願出願時の特許請求の範囲に記載された発明を付記する。
［１］ベクトル化ＤＳＬシステムに対する係数データを最適化する方法において、
前記ベクトル化ＤＳＬシステム中の複数のマクロバンドを識別することと、
前記マクロバンドのそれぞれに対する、それぞれの係数データ圧縮パラメータを選択することと、
前記選択された係数データ圧縮パラメータにより、前記ベクトル化ＤＳＬシステムの性能を評価することと、
前記評価することによって決定された所望のシステム性能にしたがって、それぞれの係数データ圧縮パラメータの選択を最適化することとを含む方法。
［２］前記係数データの、利用可能な総サイズを識別することをさらに含み、
前記複数のマクロバンドのすべてに対する圧縮された係数データが、前記利用可能な総サイズを超えないように、係数データ圧縮パラメータを選択することを実行する［１］記載の方法。
［３］性能を評価することは、対応するチャネル条件を識別することを含む［１］記載の方法。
［４］前記係数データ圧縮パラメータは、ゴロムモジュラスを含む［１］記載の方法。
［５］前記係数データ圧縮パラメータは、量子化レベルを含む［１］記載の方法。
［６］複数の異なるチャネル条件に対して、前記評価することと最適化することとを実行することと、
前記複数の異なるチャネル条件によってインデックス付けされたルックアップテーブル中に、最適な係数データ圧縮パラメータを記憶させることとをさらに含む［１］記載の方法。
［７］現在のチャネル条件を決定することをさらに含み、
選択することは、前記ルックアップテーブル中で前記現在のチャネル条件を調べることを含む［６］記載の方法。
［８］前記チャネル条件は、電気的な長さを含む［６］記載の方法。
［９］前記チャネル条件は、マッピングされた差の合計を含む［６］記載の方法。
［１０］前記ルックアップテーブルに対する、利用可能な総サイズを識別することと、
前記利用可能な総サイズにしたがって、可能性ある係数データ圧縮パラメータと、チャネル条件とを、量子化することとをさらに含む［６］記載の方法。
［１１］前記所望のシステム性能は、前記ベクトル化ＤＳＬシステム中のアップストリームとダウンストリームとの両方の通信の全体的な最大データレートである［１］記載の方法。
［１２］前記所望のシステム性能は、前記ベクトル化ＤＳＬシステム中のアップストリームとダウンストリームとの通信のうちの１つの全体的な最大データレートである［１］記載の方法。
［１３］現在のチャネル条件に対するＦＥＸＴ係数を計算することと、
前記選択された係数データ圧縮パラメータを使用して、前記ＦＥＸＴ係数を圧縮することと、
前記圧縮されたＦＥＸＴ係数を記憶させることとをさらに含む［１］記載の方法。
［１４］圧縮することは、周波数デシメーションと差分コーディングを含む［１３］記載の方法。
［１５］差分コーディングが、前記選択された係数データ圧縮パラメータから取得したゴロムモジュラスを使用する［１４］記載の方法。
［１６］圧縮することは量子化を含む［１３］記載の方法。
［１７］量子化が、前記選択された係数データ圧縮パラメータから取得した量子化レベルを使用する［１６］記載の方法。
［１８］ベクトル化ＤＳＬシステムにおいて、
ＶＣＥと、
前記ベクトル化ＤＳＬシステムに対する係数データを最適化するように構成されている１つ以上のプロセッサとを具備し、
前記最適化することは、
前記ベクトル化ＤＳＬシステム中の複数のマクロバンドを識別することと、
前記マクロバンドのそれぞれに対する、それぞれの係数データ圧縮パラメータを選択することと、
前記選択された係数データ圧縮パラメータにより、前記ベクトル化ＤＳＬシステムの性能を評価することと、
前記評価することによって決定された所望のシステム性能にしたがって、それぞれの係数データ圧縮パラメータの選択を最適化することとを備えるベクトル化ＤＳＬシステム。